(57)【特許請求の範囲】
【請求項１】
ロータリスイッチ機構を操作する回転ノブの中央に、プッシュスイッチ機構を操作する操作ノブを設けたスイッチ装置において、
前記操作ノブの操作によって軸方向に摺動するスライダと、
前記操作ノブの操作位置を保持するカム機構を前記スライダと共に構成するカム部を一面側に備える第１のベース部材と、
前記スライダの摺動に連動して切り替えられるスイッチ回路を一面側に備える第２のベース部材とを備え、
前記スライダを前記第１及び第２のベース部材の相対向する一面側によって挟まれる空間に配置するとともに、前記回転ノブの操作によって回転するロータによって切り替えられるスイッチ回路を前記第１及び第２のベース部材の各他面側にそれぞれ設けたことを特徴とするスイッチ装置。
【請求項２】
前記スライダと前記第１及び第２のベース部材を収容するスライドベースを設け、該スライドベース内の前記第１及び第２のベース部材の他面側とスライドベース内面との間に、前記ロータによって軸直角方向に摺動するスライド部材を配置したことを特徴とする請求項１記載のスイッチ装置。
【請求項３】
同軸上に相対回転可能に配された第１及び第２の回転ノブによってそれぞれ回転する第１及び第２のロータを前記スライドベースの外部に同軸的且つ相対回転可能に配置するとともに、該第１及び第２のロータの回転に連動してそれぞれ軸直角方向に摺動する第１及び第２のスライド部材を前記スライドベース内に収容し、該スライドベースに、前記第１及び第２のロータと前記第１及び第２のスライド部材とをそれぞれ接続するための開口部を形成したことを特徴とする請求項２記載のスイッチ装置。
【請求項４】
前記操作ノブと前記スライダとを連結する操作ロッドを前記第１のロータ内に軸方向に移動可能に挿通保持するとともに、前記第２のロータを回転可能に軸支する軸筒部を前記第１のロータに設け、前記操作ノブと前記第１及び第２のロータを同軸上に配置したことを特徴とする請求項３記載のスイッチ装置。
【発明の詳細な説明】
【技術分野】
【０００１】
本発明は、ロータリスイッチ機構とプッシュスイッチ機構を複合して１つのボディに内蔵して成るスイッチ装置に関するものである。
【背景技術】
【０００２】
従来、車両のヘッドランプやサイドランプを点灯させるための複数のスイッチ機能が備えられているコンビネーションスイッチには、ロータリスイッチ機構とプッシュスイッチ機構を複合して１つのボディ（スイッチケース）に内蔵して成るものがある。特にトラクタ等の農業機械に採用されるコンビネーションスイッチには、自動車に採用されるものよりもコンパクトな構造とすることが望まれている。
【０００３】
ところで、トラクタ等の農業機械も一般の公道を走行するため、これに使用されるコンビネーションスイッチにもハザードランプ機能を設定する必要があるが、ハザードランプスイッチはサイドランプを同時に点滅させる必要があるためにスイッチ機構が複雑となり、従って、従来はプッシュスイッチを別個に設ける構成が採用されていた。
【０００４】
スイッチ装置に関して、例えば特許文献１には、作動軸と共に回動するロータに保持された接点板と第１のターミナルベースの接点によって間欠駆動と低速駆動及び高速駆動の切替位置を選択する３つの切替スイッチを形成するとともに、ロータの接点板と第１のターミナルベースの抵抗膜によって可変抵抗を形成し、第２のターミナルベースの接点と操作軸の押圧部によって押圧される可動体に保持された接点板によってウォッシャスイッチを形成することによって小型化を図ったワイパースイッチのような複合スイッチの構成が提案されている。
【先行技術文献】
【特許文献】
【０００５】
【特許文献１】実公平７−０４３９０５号公報
【発明の概要】
【発明が解決しようとする課題】
【０００６】
ところで、従来のコンビネーションスイッチのプッシュスイッチは、モーメンタリ型（自動復帰型）の１回路のスイッチ機構によるホーンスイッチとして使用されるものが多く、大きなスペースは不要である反面、ホーンスイッチをハザードランプスイッチに変更しようとすると、オルタネイト型（位置保持型、プッシュオン・プッシュオフ型）の２回路のスイッチ機構とする必要があった。このため、そのままの構造ではスイッチ装置を成立させることが難しく、構成を大きく変更する必要があるとともに、スイッチ装置が全体的に大型化してしまい、コンビネーションスイッチとして複合化するには適していなかった。
【０００７】
本発明は上記問題に鑑みてなされたもので、その目的とする処は、複数のスイッチ機能を備える小型のスイッチ装置を提供することにある。
【課題を解決するための手段】
【０００８】
上記目的を達成するため、請求項１記載の発明は、
ロータリスイッチ機構を操作する回転ノブの中央に、プッシュスイッチ機構を操作する操作ノブを設けたスイッチ装置において、
前記操作ノブの操作によって軸方向に摺動するスライダと、
前記操作ノブの操作位置を保持するカム機構を前記スライダと共に構成するカム部を一面側に備える第１のベース部材と、
前記スライダの摺動に連動して切り替えられるスイッチ回路を一面側に備える第２のベース部材とを備え、
前記スライダを前記第１及び第２のベース部材の相対向する一面側によって挟まれる空間に配置するとともに、前記回転ノブの操作によって回転するロータによって切り替えられるスイッチ回路を前記第１及び第２のベース部材の各他面側にそれぞれ設けたことを特徴とする。
【０００９】
請求項２記載の発明は、請求項１記載の発明において、前記スライダと前記第１及び第２のベース部材を収容するスライドベースを設け、該スライドベース内の前記第１及び第２のベース部材の他面側とスライドベース内面との間に、前記ロータによって軸直角方向に摺動するスライド部材を配置したことを特徴とする。
【００１０】
請求項３記載の発明は、請求項２記載の発明において、同軸上に相対回転可能に配された第１及び第２の回転ノブによってそれぞれ回転する第１及び第２のロータを前記スライドベースの外部に同軸的且つ相対回転可能に配置するとともに、該第１及び第２のロータの回転に連動してそれぞれ軸直角方向に摺動する第１及び第２のスライド部材を前記スライドベース内に収容し、該スライドベースに、前記第１及び第２のロータと前記第１及び第２のスライド部材とをそれぞれ接続するための開口部を形成したことを特徴とする。
【００１１】
請求項４記載の発明は、請求項３記載の発明において、前記操作ノブと前記スライダとを連結する操作ロッドを前記第１のロータ内に軸方向に移動可能に挿通保持するとともに、前記第２のロータを回転可能に軸支する軸筒部を前記第１のロータに設け、前記操作ノブと前記第１及び第２のロータを同軸上に配置したことを特徴とする。
【発明の効果】
【００１２】
請求項１記載の発明によれば、プッシュ操作されるスライダを２つのベース部材の間に配置することによって、該スライダを操作位置に保持するためのカム機構を効率良く配置することができるため、構造の大型化を招くことなくオルタネイト型のプッシュスイッチ機構を構成することができる。
【００１３】
又、第１及び第２のスライド部材にスイッチ回路の配置面を大きく取ることができるため、例えばスイッチ装置を車両用として使用する場合には、ハザードスイッチ等のように２つのサイドランプを点滅させる回路を２つ配置することが可能である。
【００１４】
更に、第１及び第２のベース部材の他面側を利用して、回転ノブによって切り替えられるスライドスイッチを構成することができ、複数のスイッチ機能を備えたスイッチ装置の小型化を図ることができる。
【００１５】
請求項２記載の発明によれば、スライダとベース部材及びスライド部材の全てをスライドベース内に収容してこれらをサブ組みすることができるため、スライド部材とロータとの接続が容易化して組付性が高められる。
【００１６】
請求項３記載の発明によれば、第１及び第２の回転ノブと第１及び第２のロータを同軸的にコンパクトに配置したため、スイッチ装置の小型化が図られる。
【００１７】
請求項４記載の発明によれば、操作ノブの操作力をスライダに伝達する操作ロッドを第１のロータ内に挿通保持するとともに、第１のロータの軸筒部で第２のロータを回転可能に軸支し、操作ノブと第１及び第２のロータを同軸上に配置したため、スイッチ装置の径方向寸法を小さく抑えてその小型化を図ることができる。
【図面の簡単な説明】
【００１８】
【図１】本発明に係るスイッチ装置の縦断面図である。
【図２】本発明に係るスイッチ装置の分解斜視図である。
【図３】本発明に係るスイッチ装置の第１の回転ノブの操作系の構成を示す斜視図である。
【図４】本発明に係るスイッチ装置の第２の回転ノブの操作系の構成を示す斜視図である。
【図５】本発明に係るスイッチ装置のスライダを示す図であって、（ａ）は内面図、（ｂ）は外面図、（ｃ）は（ａ）のＡ−Ａ線断面図である。
【図６】本発明に係るスイッチ装置の第１のベース部材を示す図であって、（ａ）は内面図、（ｂ）は外面図、（ｃ）は（ｂ）のＢ−Ｂ線断面図である。
【図７】本発明に係るスイッチ装置の第２のベース部材を示す図であって、（ａ）は内面図、（ｂ）は外面図、（ｃ）は（ｂ）のＣ−Ｃ線断面図である。
【図８】本発明に係るスイッチ装置のスライドベースを示す図であって、（ａ）は平面図、（ｂ）は（ａ）のＤ−Ｄ線断面図である。
【図９】本発明に係るスイッチ装置の第１のロータを示す図であって、（ａ）は平面図、（ｂ）は正面図、（ｃ）は側面図、（ｄ）は（ｂ）のＥ−Ｅ線断面図である。
【図１０】本発明に係るスイッチ装置の第２のロータを示す図であって、（ａ）は平面図、（ｂ）は正面図、（ｃ）は側面図、（ｄ）は（ｂ）のＦ−Ｆ線断面図である。
【図１１】本発明に係るスイッチ装置の第１及び第２の回転ノブの操作角度を示す平面図である。
【発明を実施するための形態】
【００１９】
以下に本発明の実施の形態を添付図面に基づいて説明する。
【００２０】
図１は本発明に係るスイッチ装置の縦断面図、図２は同スイッチ装置の分解斜視図、図３は第１の回転ノブの操作系の構成を示す斜視図、図４は第２の回転ノブの操作系の構成を示す斜視図、図５はスライダを示す図であって、（ａ）は内面図、（ｂ）は外面図、（ｃ）は（ａ）のＡ−Ａ線断面図、図６は第１のベース部材を示す図であって、（ａ）は内面図、（ｂ）は外面図、（ｃ）は（ｂ）のＢ−Ｂ線断面図、図７は第２のベース部材を示す図であって、（ａ）は内面図、（ｂ）は外面図、（ｃ）は（ｂ）のＣ−Ｃ線断面図、図８はスライドベースを示す図であって、（ａ）は平面図、（ｂ）は（ａ）のＤ−Ｄ線断面図、図９は第１のロータを示す図であって、（ａ）は平面図、（ｂ）は正面図、（ｃ）は側面図、（ｄ）は（ｂ）のＥ−Ｅ線断面図、図１０は第２のロータを示す図であって、（ａ）は平面図、（ｂ）は正面図、（ｃ）は側面図、（ｄ）は（ｂ）のＦ−Ｆ線断面図、図１１は第１及び第２の回転ノブの操作角度を示すスイッチ装置の平面図である。
【００２１】
本実施の形態に係るスイッチ装置１は、ハザードスイッチ機能とライトスイッチ機能及びフラッシャスイッチ機能の３つの機能を備えたコンビネーションスイッチであって、例えばトラクタ等の農業用機械に設置されるものである。
【００２２】
図１に示すように、本実施の形態に係るスイッチ装置１は、同軸上に配された上下２段の第１回転ノブ２と第２の回転ノブ３及び第１の回転ノブ２の中央に配された操作ノブ４を備えており、第１の回転ノブ２と第２の回転ノブ３は同軸上に配された第１のロータ５と第２のロータ６の各上端部に結着されている。又、操作ノブ４は押圧操作されるものであって、その中心部から下方に向かって垂直に延びる操作ロッド（プッシュロッド）７はボディ８内に収容されたスライダ９に連結されている。
【００２３】
上記ボディ８は二重筒状に成形され、その上面の中心部には円筒部８ａが上方に向かって一体に立設され、該ボディ８の下面の開口部はカバー１０によって塞がれており、カバー１０の中央には下方に向かって延びる角筒状のコネクタ接続部１０ａが一体に形成されている。そして、ボディ８内には、略有底筒状のスライドベース１１がボディ８の内壁に嵌合する状態で収容されており、図８に示すように、スライドベース８の上壁の略中心部には矩形のスライド挿入孔１１ａが形成され、その両側には矩形の開口部１１ｂがそれぞれ形成されている。
【００２４】
図１に示すように、上記スライドベース１１内の略中央には、前記操作ロッド７の下端に連結された前記スライダ９がスライドベース１１の前記スライド挿入孔１１ａを貫通して上下動可能に収容されており、その両側には図１の紙面垂直方向に長い第１ベース部材１２と第２のベース部材１３が配され、これらの第１及び第の２ベース部材１２，１３の外側であって、スライドベース１１の内面部との間には第１のスライド部材１４と第２のスライド部材１５が図１の紙面垂直方向に摺動可能に配されている。
【００２５】
上述のようにスライドベース１１内には、スライダ９、第１及び第２のベース部材１２，１３、第１及び第２のスライド部材１４，１５が収容されているが、スライダ９は、第１及び第２のベース部材１２，１３の相対向する内面によって挟まれる空間に配置されている。そして、このスライダ９と操作ロッド７及び操作ノブ４は、スライダ９とカバー１０との間に縮装されたスプリング１６によって常時上方に付勢されている。
【００２６】
ここで、上記スライダ９の第１のベース部材１２の内面に対向する側には、図５（ｂ）に示すように、軸１７に巻装されたカムスプリング１８が設けられており、このカムスプリング１８の一端は当該スライダ９に係止され、他端（自由端）は第１のベース部材１２側に向かって屈曲する係合部１８ａ（図５（ｃ）参照）を構成している。又、スライダ９の第２のベース部材１３の内面に対向する面には、図５（ａ），（ｃ）に示すように、３つのフラッシャ用端子１９が横方向に適当な間隔で配置されている。
【００２７】
又、前記第１のベース部材１２のスライダ９に対向する内面には、図６（ａ）に示すように、カム部であるカム溝１２ａが形成されており、このカム溝にはスライダ９に設けられた前記カムスプリング１８の係合部１８ａが係合している。これらのカムスプリング１８とカム溝１２ａは、操作ノブ４の操作位置を保持するカム機構を構成しており、このカム機構によってオルタネイト型（プッシュオン・プッシュオフ型）のプッシュスイッチ機構が構成されている。即ち、操作ノブ４を一度押すと、該操作ノブ４は押し込まれた位置に保持され、次に操作ノブ４を押すと該操作ノブ４はスプリング１６の付勢力によって元の位置に戻る。
【００２８】
そして、第１のベース部材１２の第１のスライド部材１４に対向する外面には、図６（ｂ）に示すように、第１のスライド部材１４の摺動に連動して切り替えられるライトスイッチ回路２０が設けられている。尚、このライトスイッチ回路２０は、不図示のヘッドランプの点灯のＯＮ／ＯＦＦ、Ｈｉビーム及びＬｏビームの切り替えを行うためのものである。
【００２９】
前記第２のベース部材１３のスライダ９に対向する内面には、図７（ａ）に示すように、スライダ９の上下の摺動に連動して切り替えられるハザードスイッチ回路２１が設けられている。又、第２のベース部材１３の第２のスライド部材１５に対向する外面には、図７（ｂ），（ｃ）に示すように、第２のスライド部材１５の軸直角方向の摺動に連動して切り替えられるフラッシャスイッチ回路２２が設けられている。尚、フラッシャスイッチ回路２２は、不図示の左右のフラッシャランプの一方を選択的に点滅させるためのものである。
【００３０】
ところで、図１及び図２に示すように、第１の回転ノブ２の内部には、該第１の回転ノブ２と共に一体に回転するノブベース２３が設けられており、該ノブベース２３の中心部に垂直に立設された円筒部２３ａの外周には操作ノブ４が上下動可能に嵌合している。そして、第１の回転ノブ２とノブベース２３によって画成される空間内には蛇腹状の防水カバー２４が配置されており、この防水カバー２４の上端内周部は操作ノブ４の外周に形成された凹溝４ａに嵌着され、該防水カバー２４の下端外周に形成された鍔部２４ａはノブベース２３の内底面上に載置され、操作ノブ４の上壁内面から下方に向かって形成された円筒状の押圧リブ４ｂによってノブベース２３の内底面に密着されている。
【００３１】
而して、前記第１のロータ５は、ノブベース２３の円筒部２３ａの内部に挿通嵌着され、その上端部外周には前述のように操作ノブ４が上下動可能に嵌合しているが、この嵌合部は防水カバー２４によって覆われてシールされているため、該嵌合部からの水の侵入が防がれる。尚、図１において、２５はシール部材としてのＯリングである。
【００３２】
次に、第１及び第２のロータ５，６の構成について説明する。
【００３３】
図１に示すように、第１のロータ５と第２のロータ６は、スライドベース１１の外部において同軸上に相対回転可能に配置されており、第１のロータ５は、図９に示すように、上下方向に延びる円筒状の軸筒部５Ａと、該軸筒部５Ａの下端に形成されたクランク状のアーム部５Ｂとで構成されており、軸筒部５Ａの内部には操作ロッド７が挿通している（図１参照）。
【００３４】
第１のロータ５の上記アーム部５Ｂの上面には波形の複数の係合溝５ａが形成され、下面にはピン５ｂが垂直下方に向かって一体に突設されている。図１に示すように、第１のロータ５のアーム部５Ｂはボディ８内に収容されており、該アーム部５Ｂに形成された係合溝５ａの１つには、スプリング２６によって付勢されたスチールボール２７が係合している。ここで、係合溝５ａとこれに係合するスチールボール２７及び該スチールボール２７を付勢するスプリング２６はクリック機構を構成しており、このクリック機構によって第１の回転ノブ２の回転にクリック感が付与される。
【００３５】
又、図３に示すように、第１のロータ５のアーム部５Ｂに形成された前記ピン５ｂは、図８に示すスライドベース１１に形成された開口部１１ｂを貫通してスライドベース１１内に臨んでおり、このピン５ｂは、スライドベース１１の内部に収容された前記第１のスライド部材１４の上面に平行に立設された一対のガイドリブ１４ａ間に係合している。これによって第１の回転ノブ５によって操作される第１のロータ５の回転は、第１のスライド部材１４の軸直角方向の直線的な摺動に変換される。
【００３６】
他方、第２のロータ６は、図１０に示すように、上下方向に延びる円筒部６Ａと、該円筒部６Ａの下端に形成されたクランク状のアーム部６Ｂとで構成されている。ここで、第２のロータ６の円筒部６Ａは第１のロータ５の軸筒部５Ａよりも大径であって、その内部に第１のロータ５が挿通することによって第２のロータ６が第１のロータ５の軸筒部５Ａによって回転可能に軸支されている（図１参照）。
【００３７】
第２のロータ６の上記アーム部６Ｂの上面には波形の複数の係合溝６ａが形成され、下面にはピン６ｂが垂直下方に向かって一体に突設されている。図１に示すように、第２のロータ６のアーム部６Ｂはボディ８内に収容されており、該アーム部８Ｂに形成された係合溝６ａの１つには、スプリング２８によって付勢されたスチールボール２９が係合している。ここで、係合溝６ａとこれに係合するスチールボール２９及び該スチールボール２９を付勢するスプリング２８はクリック機構を構成しており、このクリック機構によって第２の回転ノブ３の回転にクリック感が付与される。
【００３８】
又、図４に示すように、第２のロータ６のアーム部６Ｂに形成された前記ピン６ｂは、図８に示すスライドベース１１に形成された開口部１１ｂを貫通してスライドベース１１内に臨んでおり、このピン６ｂは、スライドベース１１の内部に収容された前記第２のスライド部材１５の上面に平行に立設された一対のガイドリブ１５ａ間に係合している。これによって第２の回転ノブ３によって操作される第２のロータ６の回転は、第２のスライド部材１５の軸直角方向の直線的な摺動に変換される。即ち、本実施の形態に係るスイッチ装置１では、第１及び第２のベース部材１２，１３のプッシュスイッチ機構の反対の面にライトスイッチ回路２０とフラッシャスイッチ回路２２を配置し、プッシュスイッチ機構とは直交する方向に直線的に摺動するスライドスイッチ機構により、第１の回転ノブ２と第２の回転ノブ３によるスイッチ機構を構成している。そのため、ボディ８の平面方向に第１の回転ノブ２によるロータリスイッチ機構と、第２の回転ノブ３によるロータリスイッチ機構をそれぞれ設けるよりも、ハザードスイッチ回路２１によって形成されるスペースを利用して、ライトスイッチ回路２０とフラッシャスイッチ回路２２の配置面を効率的に形成することができる。従って、複数のスイッチ回路を集約して配置することができるため、ボディ８を小型化することが可能となる。
【００３９】
尚、図１に示すように、ボディ８の上部に立設された円筒部８ａの外周には取付用ナット３０が螺合しており、この取付用ナット３０を締め付けることによって当該スイッチ装置１を所定の箇所に取り付けることができる。
【００４０】
次に、以上のように構成されたスイッチ装置１の作用について説明する。
【００４１】
本実施の形態に係るスイッチ装置１は、前述のようにハザードスイッチ機能とライトスイッチ機能及びフラッシャスイッチ機能の備えるものであって、例えばハザードランプを点滅させるには、操作ノブ４を１回だけ押し込む。すると、操作ノブ４の押し込みは操作ロッド７を経てスライダ９に伝達され、該スライダ９がスプリング１６の付勢力に抗して下方へと摺動し、これらの操作ノブ４と操作ロッド７及びスライダ９がカム機構によってその位置に保持され、スライダ９に設けられたフラッシャ用端子１９（図５（ａ），（ｂ）参照）が第２のベース部材１３の内面に設けられたフラッシャスイッチ回路２２と導通してハザードランプを点滅させる。
【００４２】
そして、上記状態から操作ノブ４を再度押し込むと、カム機構の作用によって該操作ノブ４と操作ロッド７及びスライダ９がスプリング１６の付勢力によって上動して図１に示す元の位置に戻されるため、スライダ９に設けられたフラッシャ用端子１９と第２のベース部材１５の内面に設けられたフラッシャスイッチ回路２２との導通が遮断され、ハザードランプの点滅が停止される。
【００４３】
又、第１の回転ノブ２を回すと、第１のロッド５が一体的に回転し、その回転は前述のように第１のスライド部材１４の軸直角方向（図１の紙面垂直方向）の摺動に変換されるため、該第１のスライド部材１４の摺動によって第１のベース部材１２の外面に設けられたライトスイッチ回路２０が切り替えられ、前述のようにヘッドランプの点灯のＯＮ／ＯＦＦ、Ｈｉビーム及びＬｏビームの切り替えが行われる。即ち、第１の回転ノブ２が図１１に示すＯＦＦ位置にあるときにはヘッドランプが消灯され、第１の回転ノブ２をＯＦＦ位置から図１１の時計方向に図示の角度α（本実施の形態では３０°）だけ回すとヘッドランプがＬｏビームに切り替えられ、そこから更に角度αだけ時計方向に回すとヘッドランプがＨｉビームに切り替えられる。尚、前述のように第１の回転ノブ２の回転にはクリック機構によってクリック感が付与される。
【００４４】
他方、第２の回転ノブ３を回すと、第２のロッド６が第１のロッド５の軸筒部５Ａを中心として一体的に回転し、その回転は前述のように第２のスライド部材１５の軸直角方向（図１の紙面垂直方向）の摺動に変換されるため、該第２のスライド部材１５の摺動によって第２のベース部材１５の外面に設けられたフラッシャスイッチ回路２２が切り替えられ、左右のフラッシャランプの点滅が切り替えられる。即ち、第２の回転ノブ３を中立位置Ｎから図１１に示す角度β（本実施の形態では２０°）だけ時計方向にＲ位置まで回すと右側のフラッシャランプが点滅し、中立位置Ｎから角度βだけ反時計方向にＬ位置まで回すと左側のフラッシャランプが点滅する。尚、前述のように第２の回転ノブ３の回転にもクリック機構によってクリック感が付与される。
【００４５】
以上において、本実施の形態では、プッシュ操作されるスライダ９を２つに分割された第１及び第２のベース部材１２，１３の間の空間に配置するようにしたため、該スライダ９を操作位置に保持するためのカム機構を効率良く配置することができ、構造の大型化を招くことなくオルタネイト型のプッシュスイッチ機構を構成することができる。
【００４６】
又、第１及び第２のスライド部材１４，１５にライトスイッチ回路２０とフラッシャスイッチ回路２２の配置面を大きく取ることができるため、例えばスイッチ装置１を車両用として使用する場合には、ハザードスイッチ等のように２つのサイドランプを点滅させる回路を２つ配置することが可能となる。
【００４７】
更に、第１及び第２のベース部材１２，１３の外面を利用して、第１及び第２の回転ノブ２，３によってそれぞれ切り替えられるライトスイッチとフラッシャスイッチを構成することができるため、複数のスイッチ機能を備えたスイッチ装置１の小型化を図ることができる。
【００４８】
又、本実施の形態では、スライダ９、第１及び第２のベース部材１２，１３、第１及び第２のスライド部材１４，１５の全てをスライドベース１１内に収容してこれらをサブ組みすることができるため、第１及び第２のスライド部材１４，１５と第１及び第２のロータ５，６との接続が容易化して組付性が高められる。そして、本実施の形態では、第１及び第２の回転ノブ２，３と第１及び第２のロータ５，６を同軸的にコンパクトに配置したため、スイッチ装置１の小型化が図られる。
【００４９】
更に、本実施の形態では、操作ノブ４の操作力をスライダ９に伝達する操作ロッド７を第１のロータ５内に挿通保持するとともに、第１のロータ５の軸筒部５Ａで第２のロータ６を回転可能に軸支し、操作ノブ４と第１及び第２のロータ５，６を同軸上に配置する構成を採用したため、スイッチ装置１の径方向寸法を小さく抑えてその小型化を図ることができるという効果が得られる。
【符号の説明】
【００５０】
１        スイッチ装置
２        第１の回転ノブ
３        第２の回転ノブ
４        操作ノブ
４ａ      操作ノブの凹溝
４ｂ      操作ノブの押圧リブ
５        第１のロータ
５Ａ      第１のロータの軸筒部
５Ｂ      第１のロータのアーム部
５ａ      第１のロータの係合溝
５ｂ      第１のロータのピン
６        第２のロータ
６Ａ      第２のロータの円筒部
６Ｂ      第２のロータのアーム部
６ａ      第２のロータの係合溝
６ｂ      第２のロータのピン
７        操作ロッド
８        ボディ
８ａ      ボディの円筒部
９        スライダ
１０      カバー
１０ａ    カバーのコネクタ接続部
１１      スライドベース
１１ａ    スライドベースのスライド挿入孔
１１ｂ    スライドベースの円筒部
１２      第１のベース部材
１２ａ    第１のベース部材のカム溝
１３      第２のベース部材
１４      第１のスライド部材
１４ａ    第１のスライド部材のガイドリブ
１５      第２のスライド部材
１５ａ    第２のスライド部材のガイドリブ
１６      スプリング
１７      軸
１８      カムスプリング
１８ａ    カムスプリングの係合部
１９      フラッシャ用端子
２０      ライトスイッチ回路
２１      ハザードスイッチ回路
２２      フラッシャスイッチ回路
２３      ノブベース
２３ａ    ノブベースの円筒部
２４      防水カバー
２４ａ    防水カバーの鍔部
２５      Ｏリング
２６      スプリング
２７      スチールボール
２８      スプリング
２９      スチールボール
３０      取付用ナット
【図１】
0005484235.tif 000002
【図２】
0005484235.tif 000003
【図３】
0005484235.tif 000004
【図４】
0005484235.tif 000005
【図５】
0005484235.tif 000006
【図６】
0005484235.tif 000007
【図７】
0005484235.tif 000008
【図８】
0005484235.tif 000009
【図９】
0005484235.tif 000010
【図１０】
0005484235.tif 000011
【図１１】
0005484235.tif 000012